(57)【特許請求の範囲】
【請求項１】
一以上の居住空間において互いに異なる場所に設置された、生体信号を計測する複数のセンサのそれぞれから、前記生体信号の計測データを取得する取得部と、
情報機器が備える操作デバイスを通じて前記複数のセンサの一つを選択可能な第一の画面を、前記情報機器が備える表示デバイスに表示させる第一の表示制御部と、
前記複数のセンサの一つが選択されたことを条件に、選択されたセンサからの前記計測データに基づく前記生体信号の計測結果を表す第二の画面を、前記表示デバイスに表示させる第二の表示制御部と、
前記第二の画面の表示時刻を、前記選択の主体であるユーザの識別情報と共に、ログデータとして記憶デバイスに記録する履歴記録部と、
前記記憶デバイスに記録された前記ログデータに基づき、前記第二の画面の表示履歴を示す第三の画面を、前記表示デバイスに表示させる第三の表示制御部と、
を備える情報処理システム。
【請求項２】
請求項１記載の情報処理システムであって、
前記第三の表示制御部は、前記第一の画面を通じて前記複数のセンサの一つが選択されたことを条件に、前記第三の画面として、前記選択されたセンサに関する前記第二の画面の表示履歴を示す画面を、前記表示デバイスに表示させる情報処理システム。
【請求項３】
請求項２記載の情報処理システムであって、
前記複数のセンサの少なくとも一部は、グループ化されており、
前記第三の画面は、前記選択されたセンサを含む、前記選択されたセンサと同一グループに属する一以上のセンサに関する前記第二の画面の表示履歴を示す画面である情報処理システム。
【請求項４】
請求項２又は請求項３記載の情報処理システムであって、
前記第二の画面には、前記第三の画面を呼び出すための操作オブジェクトが含まれ、
前記第三の表示制御部は、前記選択に応じて表示される前記第二の画面に含まれる前記操作オブジェクトが前記操作デバイスを通じて操作されたことを条件に、前記第三の画面を前記表示デバイスに表示させる情報処理システム。
【請求項５】
請求項２〜請求項４のいずれか一項記載の情報処理システムであって、
前記第三の画面は、前記第二の画面の表示履歴として、前記第二の画面を閲覧したユーザのリストを、前記ユーザによる前記第二の画面の閲覧時刻の情報と共に示す画面である情報処理システム。
【請求項６】
請求項１〜請求項５のいずれか一項記載の情報処理システムであって、
前記情報処理システムは、複数の情報機器と通信可能であり、
前記第一の表示制御部は、前記複数の情報機器のそれぞれが備える表示デバイスに、前記第一の画面として、対応する情報機器のユーザが、前記対応する情報機器が備える操作デバイスを通じて前記複数のセンサの一つを選択可能な画面を表示させ、
前記第二の表示制御部は、前記第一の画面を通じて前記複数のセンサの一つが選択されたことを条件に、選択されたセンサに関する前記第二の画面を、前記選択が行われた情報機器の前記表示デバイスに表示させる情報処理システム。
【請求項７】
請求項６記載の情報処理システムであって、
前記第一の画面は、選択可能なセンサ毎に、対応するセンサに対する選択操作を受け付けるためのオブジェクトを含み、
前記第一の表示制御部は、前記ログデータに基づき、前記第一の画面における前記オブジェクトのそれぞれが、対応するセンサに関する前記第二の画面の最終表示時刻であって前記複数の情報機器全体における最終表示時刻に応じた形態で表示されるように、前記第一の画面を前記表示デバイスに表示させる情報処理システム。
【請求項８】
請求項１〜請求項７のいずれか一項記載の情報処理システムであって、
前記複数のセンサのそれぞれは、マイクロ波の送受信により前記生体信号を計測するマイクロ波ドップラーセンサである情報処理システム。
【請求項９】
請求項１〜請求項８のいずれか一項項記載の情報処理システムであって、
前記複数のセンサのそれぞれは、前記生体信号として、計測対象者の身体運動に関する第一のパラメータ、前記計測対象者の呼吸及び心拍の少なくとも一方に関する第二のパラメータを計測するセンサであり、
前記情報処理システムは更に、
前記センサにより計測された前記第一及び第二のパラメータの少なくとも一つに基づいて、前記計測対象者に関するアラート信号を出力するアラート出力部
を備える情報処理システム。
【請求項１０】
請求項９記載の情報処理システムであって、
前記アラート出力部は、前記第一のパラメータが前記身体運動の不存在を示す値に変化する第一の事象、及び、前記第二のパラメータが前記呼吸及び心拍の少なくとも一方の低下又は不存在を示す値に変化する第二の事象の少なくとも一方が発生したことを条件に、前記アラート信号を出力する情報処理システム。
【請求項１１】
請求項９又は請求項１０記載の情報処理システムであって、
前記アラート出力部は、前記センサにより計測される前記第一のパラメータが前記身体運動の不存在を示している状態で、前記第二のパラメータが、前記呼吸及び心拍の少なくとも一方の低下又は不存在を示す値に変化したことを条件に、前記アラート信号を出力する情報処理システム。
【請求項１２】
請求項１〜請求項１１のいずれか一項記載の情報処理システムであって、
前記複数のセンサの少なくとも一部には、対応するセンサの設置場所に存在する人により操作可能な呼出装置が付設されており、
前記情報処理システムは更に、
前記呼出装置が操作されたことに応じて、予め登録された出力先に、コール信号を出力するコール信号出力部を備える情報処理システム。
【請求項１３】
請求項１〜請求項１２のいずれか一項記載の情報処理システムであって、
前記複数のセンサの少なくとも一部には、対応するセンサの設置場所に存在する人に向けて音声を出力するためのスピーカが付設されており、
前記情報処理システムは更に、
前記選択されたセンサに付設された前記スピーカに対し、前記選択が行われた情報機器からの音声信号を入力して、前記スピーカに前記音声信号に対応する音声を出力させる音声出力制御部を備える情報処理システム。
【請求項１４】
請求項１〜請求項１３のいずれか一項記載の情報処理システムにおける前記取得部、前記第一の表示制御部、前記第二の表示制御部、及び前記履歴記録部として、コンピュータを機能させるためのコンピュータプログラム。
【請求項１５】
一以上の居住空間において互いに異なる場所に設置された、生体信号を計測する複数のセンサのそれぞれから、前記生体信号の計測データを取得することと、
情報機器が備える操作デバイスを通じて前記複数のセンサの一つを選択可能な第一の画面を、前記情報機器が備える表示デバイスに表示させることと、
前記複数のセンサの一つが選択されたことを条件に、選択されたセンサからの前記計測データに基づく前記生体信号の計測結果を表す第二の画面を、前記表示デバイスに表示させることと、
前記第二の画面の表示時刻を、前記選択の主体であるユーザの識別情報と共に、ログデータとして記憶デバイスに記録することと、
前記記憶デバイスに記録された前記ログデータに基づき、前記第二の画面の表示履歴を示す第三の画面を、前記表示デバイスに表示させることと、
を備える情報処理方法。
【発明の詳細な説明】
【技術分野】
【０００１】
本開示は、情報処理システム及び方法に関する。
【背景技術】
【０００２】
高齢者を遠隔から見守るシステムが既に知られている（例えば、特許文献１参照）。このシステムでは、被見守り人の生体信号を計測するためにマイクロ波ドップラーセンサが用いられる。ドップラー効果により生じる送受信信号の位相差に基づいて、被見守り人の身体運動、呼吸、及び心拍などが計測される。
【先行技術文献】
【特許文献】
【０００３】
【特許文献１】特開２０１７−９７４４５号公報
【発明の概要】
【発明が解決しようとする課題】
【０００４】
高齢者の見守り形態としては、兄弟で親を見守る形態、夫婦で互いの親を見守る形態などが考えられる。このため、一人又は複数の被見守り人を、複数人で見守ることが可能な見守りシステムの開発は、社会にとって有意義である。
【０００５】
そこで、本開示の一側面によれば、１対複数又は複数対複数の見守りに好適なシステム及び方法を提供できることが望ましい。
【課題を解決するための手段】
【０００６】
本開示の一側面に係る情報処理システムは、取得部と、第一の表示制御部と、第二の表示制御部と、履歴記録部と、第三の表示制御部とを備える。取得部は、一以上の居住空間において互いに異なる場所に設置された、生体信号を計測する複数のセンサのそれぞれから、生体信号の計測データを取得する。第一の表示制御部は、情報機器が備える操作デバイスを通じて複数のセンサの一つを選択可能な第一の画面を、情報機器が備える表示デバイスに表示させる。
【０００７】
第二の表示制御部は、複数のセンサの一つが選択されたことを条件に、選択されたセンサからの計測データに基づく生体信号の計測結果を表す第二の画面を、表示デバイスに表示させる。
【０００８】
履歴記録部は、第二の画面の表示時刻を、選択の主体であるユーザの識別情報と共に、ログデータとして記憶デバイスに記録する。第三の表示制御部は、記憶デバイスに記録されたログデータに基づき、第二の画面の表示履歴を示す第三の画面を、表示デバイスに表示させる。
【０００９】
上記の情報機器は、一つ又は複数の機器であり得る。このシステムによれば、計測結果の閲覧履歴を、情報機器の表示デバイスを通じて、特定の又はすべてのユーザが確認をすることができる。従って、本開示の一側面によれば、複数のユーザによる見守りを、連携しながら効率よく実現できる、１対複数又は複数対複数の見守りに好適なシステムを提供できる。
【００１０】
本開示の一側面によれば、第三の表示制御部は、第一の画面を通じて複数のセンサの一つが選択されたことを条件に、第三の画面として、選択されたセンサに関する第二の画面の表示履歴を示す画面を、表示デバイスに表示させるように構成されてもよい。
【００１１】
本開示の一側面によれば、複数のセンサの少なくとも一部は、グループ化されてもよい。本開示の一側面によれば、第三の画面は、選択されたセンサを含む、選択されたセンサと同一グループに属する一以上のセンサに関する第二の画面の表示履歴を示す画面であってもよい。
【００１２】
本開示の一側面によれば、情報処理システムは、情報機器の操作デバイスから入力される情報に基づき、複数のセンサを少なくとも部分的にグループ化するグルーピング部を備えていてもよい。
【００１３】
一人の被見守り人などの計測対象者に対して複数のセンサが設けられる形態が考えられる。こうした形態において、複数のセンサをグループ化することができることは有意義である。更に、グループ毎に、表示履歴を示す第三の画面を表示することは、計測対象者毎の見守り状況を把握するのに有意義である。
【００１４】
本開示の一側面によれば、第二の画面には、第三の画面を呼び出すための操作オブジェクトが含まれていてもよい。本開示の一側面によれば、第三の表示制御部は、第二の画面に含まれる操作オブジェクトが操作デバイスを通じて操作されたことを条件に、第三の画面を表示デバイスに表示させるように構成されてもよい。
【００１５】
本開示の一側面によれば、第三の画面は、第二の画面の表示履歴として、第二の画面を閲覧したユーザのリストを、ユーザによる第二の画面の閲覧時刻の情報と共に示す画面であってもよい。こうした表示形態によれば、どのユーザが、いつ計測結果を閲覧したかを第三の画面を通じて把握することができる。
【００１６】
本開示の一側面によれば、情報処理システムは、複数の情報機器と通信可能であってもよい。本開示の一側面によれば、第一の表示制御部は、複数の情報機器のそれぞれが備える表示デバイスに、第一の画面として、対応する情報機器のユーザが、対応する情報機器が備える操作デバイスを通じて複数のセンサの一つを選択可能な画面を表示させるように構成されてもよい。
【００１７】
本開示の一側面によれば、第二の表示制御部は、第一の画面を通じて複数のセンサの一つが選択されたことを条件に、選択されたセンサに関する第二の画面を、選択が行われた情報機器の表示デバイスに表示させるように構成されてもよい。
【００１８】
本開示の一側面によれば、第一の画面は、選択可能なセンサ毎に、対応するセンサに対する選択操作を受け付けるためのオブジェクトを含んでいてもよい。本開示の一側面によれば、第一の表示制御部は、ログデータに基づき、第一の画面におけるオブジェクトのそれぞれが、対応するセンサに関する第二の画面の最終表示時刻であって複数の情報機器全体における最終表示時刻に応じた形態で表示されるように、第一の画面を表示デバイスに表示させるように構成されてもよい。
【００１９】
本開示の一側面によれば、第一の表示制御部は、第一の画面における複数のセンサのそれぞれのオブジェクトが、最終表示時刻に応じた形態として、最終表示時刻を示す文字情報を含む形態で表示されるように、第一の画面を表示デバイスに表示させてもよい。こうした表示形態によれば、ユーザは、第一の画面を通じて、複数のセンサの計測結果の閲覧状況を容易に把握することができる。
【００２０】
本開示の一側面によれば、第二の表示制御部は、ログデータに基づき、第二の画面として、複数の情報機器全体における第二の画面の前回表示時刻に関する情報を含む画面を、表示デバイスに表示させるように構成されてもよい。
【００２１】
本開示の一側面によれば、複数のセンサのそれぞれは、マイクロ波の送受信により生体信号を計測するマイクロ波ドップラーセンサであってもよい。本開示の一側面によれば、複数のセンサのそれぞれは、生体信号として、計測対象者の身体運動に関する第一のパラメータ、計測対象者の呼吸及び心拍の少なくとも一方に関する第二のパラメータを計測するセンサであってもよい。
【００２２】
本開示の一側面によれば、情報処理システムは更に、アラート出力部を備えてもよい。アラート出力部は、センサにより計測された第一及び第二のパラメータの少なくとも一つに基づき、計測対象者に関するアラート信号を出力するように構成されてもよい。この構成によれば、アラートを受けた者等が、例えば計測対象者の元に移動して計測対象者に対する必要な行動を迅速に行うことができる。
【００２３】
本開示の一側面によれば、アラート出力部は、第一のパラメータが身体運動の不存在を示す値に変化する第一の事象、及び、第二のパラメータが呼吸及び心拍の少なくとも一方の低下又は不存在を示す値に変化する第二の事象の少なくとも一方が発生したことを条件に、アラート信号を出力するように構成されてもよい。
【００２４】
本開示の一側面によれば、アラート出力部は、センサにより計測される第一のパラメータが身体運動の不存在を示している状態で、第二のパラメータが、呼吸及び心拍の少なくとも一方の低下又は不存在を示す値に変化したことを条件に、アラート信号を出力するように構成されてもよい。
【００２５】
呼吸及び心拍の不存在は、計測対象者がセンサの計測可能領域の外に移動した場合にも生じるが、この場合には、身体運動がセンサにより計測される。これに対して、身体運動が不存在のまま、呼吸及び心拍の低下又は不存在が計測された場合には、計測対象者の生命に重大な問題が生じている可能性が高い。従って、上述した条件でアラート信号を出力することによれば、誤報を抑えて適切なアラート信号を出力可能である。
【００２６】
本開示の一側面によれば、複数のセンサの少なくとも一部には、対応するセンサの設置場所に存在する人により操作可能な呼出装置が付設されていてもよい。本開示の一側面によれば、情報処理システムは更に、呼出装置が操作されたことに応じて、予め登録された出力先に、コール信号を出力するコール信号出力部を備えてもよい。
【００２７】
本開示の一側面によれば、複数のセンサの少なくとも一部には、対応するセンサの設置場所に存在する人に向けて音声を出力するためのスピーカが付設されていてもよい。本開示の一側面によれば、情報処理システムは更に、選択されたセンサに付設されたスピーカに対し、選択が行われた情報機器からの音声信号を入力して、スピーカに音声信号に対応する音声を出力させる音声出力制御部を備えてもよい。
【００２８】
本開示の一側面によれば、上述した情報処理システムにおける取得部、第一の表示制御部、第二の表示制御部、履歴記録部、アラート出力部、コール信号出力部、及び音声出力制御部の少なくとも一部の機能を、コンピュータを実行させるためのコンピュータプログラムが提供されてもよい。
【００２９】
本開示の一側面によれば、上述した情報処理システムに対応する情報処理方法が提供されてもよい。情報処理方法は、一以上の居住空間において互いに異なる場所に設置された、生体信号を計測する複数のセンサのそれぞれから、生体信号の計測データを取得することと、情報機器が備える操作デバイスを通じて複数のセンサの一つを選択可能な第一の画面を、情報機器が備える表示デバイスに表示させることと、複数のセンサの一つが選択されたことを条件に、選択されたセンサからの計測データに基づく生体信号の計測結果を表す第二の画面を、表示デバイスに表示させることと、第二の画面の表示時刻を、選択の主体であるユーザの識別情報と共に、ログデータとして記憶デバイスに記録することと、記憶デバイスに記録されたログデータに基づき、第二の画面の表示履歴を示す第三の画面を、表示デバイスに表示させることと、を備えていてもよい。
【図面の簡単な説明】
【００３０】
【図１】見守りシステムの構成を表すブロック図である。
【図２】図２Ａはサーバ装置が実行するデータ取得関連処理を表すフローチャートであり、図２Ｂはサーバ装置が実行するコール信号関連処理を表すフローチャートである。
【図３】図３Ａはサーバ装置が記憶する装置管理データベースの構成を表す図であり、図３Ｂはサーバ装置が記憶するユーザ管理データベースの構成を表す図である。
【図４】サーバ装置が実行するサービス提供処理を表すフローチャートである。
【図５】一覧画面の例示的構成を示す図である。
【図６】グループ設定画面の例示的構成を示す図である。
【図７】サーバ装置が実行する個別画面送信関連処理を表すフローチャートである。
【図８】個別画面の例示的構成を示す図である。
【図９】図９Ａは、閲覧履歴画面の例示的構成を示す図であり、図９Ｂは、アラート設定画面の例示的構成を示す図である。
【図１０】ユーザ端末装置が実行する処理のフローチャートである。
【図１１】ユーザ端末装置が実行する個別画面関連処理のフローチャートである。
【発明を実施するための形態】
【００３１】
以下に、本開示の例示的実施形態を、図面を参照しながら説明する。
図１に示す本実施形態の見守りシステム１は、複数の監視装置１０と、サーバ装置３０と、複数のユーザ端末装置５０とを備える。この見守りシステム１では、各監視装置１０が、被見守り人の生体信号を計測するために、被見守り人が居住する空間に設置される。
【００３２】
監視装置１０は、異なる居住空間で生活する複数の被見守り人のそれぞれに対して設けられる。監視装置１０は、一人の被見守り人に対して一つ又は複数設けられ得る。例えば、監視装置１０は、一人の被見守り人が居住する建物における、リビング及び寝室などの複数の部屋のそれぞれに設けられ得る。
【００３３】
サーバ装置３０は、これら監視装置１０のそれぞれから、生体信号の計測データを取得する。サーバ装置３０は、計測データに基づき、被見守り人に関する情報を、見守り人のユーザ端末装置５０に提供する。
【００３４】
ユーザ端末装置５０は、見守り人が使用する情報機器である。ここでいう「ユーザ」は、見守りシステム１を利用する見守り人に対応する。ユーザ端末装置５０は、ユーザ操作に従って、被見守り人に関する情報を表示する。ユーザ端末装置５０は、例えば、見守りシステム１の利用のために用意されたアプリケーションプログラムがインストールされたスマートフォン及びタブレット等の情報機器であり得る。
【００３５】
監視装置１０は、センサ１１と、スピーカ１３と、コントローラ１５と、通信インタフェース１７とを備える。この監視装置１０には、人が押下操作可能なボタン式の呼出装置２０が有線又は無線により接続される。呼出装置２０は、例えば被見守り人からのエマージェンシーコールを見守り人に伝送するために使用される。
【００３６】
センサ１１は、マイクロ波ドップラーセンサである。センサ１１は、マイクロ波を送受信し、ドップラー効果により生じる送信信号と受信信号との間の位相差に基づいて、計測可能範囲における人の身体運動、呼吸、及び心拍（換言すれば脈拍）を計測するように構成される。スピーカ１３は、サーバ装置３０からの受信信号に基づく音声を、監視装置１０が設置された被見守り人の居住空間に出力するように構成される。
【００３７】
コントローラ１５は、監視装置１０の全体を統括制御するように構成される。一例によれば、コントローラ１５は、プロセッサ、ＲＯＭ、及びＲＡＭを備えることができる。この例によれば、プロセッサがコンピュータプログラムに従う処理を実行することにより、コントローラ１５の各種機能が実現される。
【００３８】
コントローラ１５は、通信インタフェース１７を通じてサーバ装置３０と通信する。監視装置１０は、サーバ装置３０と広域ネットワークＮＴを通じて通信可能に接続される。コントローラ１５は、センサ１１からの計測データを、通信インタフェース１７を通じてサーバ装置３０に送信する。
【００３９】
コントローラ１５は更に、サーバ装置３０から音声信号を受信すると、受信した音声信号に基づく音声をスピーカ１３に出力させるように動作する。コントローラ１５は更に、呼出装置２０からボタン押下信号が入力されると、サーバ装置３０に対してコール信号を送信するように構成される。
【００４０】
サーバ装置３０は、図１に示すように、プロセッサ３１と、メモリ３３と、ストレージ３５と、通信インタフェース３７とを備える。プロセッサ３１は、ストレージ３５に記憶されたコンピュータプログラムに従う処理を実行することにより、サーバ装置３０としての機能を実現する。
【００４１】
ストレージ３５は、例えばハードディスク装置で構成され、コンピュータプログラム及びデータを記憶する。通信インタフェース３７は、監視装置１０及びユーザ端末装置５０と広域ネットワークＮＴを通じて通信可能に構成される。図１において簡易表示されるサーバ装置３０は、複数のコンピュータを含むシステムで構成され得る。
【００４２】
ユーザ端末装置５０は、図１に示すように、プロセッサ５１と、メモリ５３と、ストレージ５５と、ディスプレイ５６と、マイクロフォン５７と、操作インタフェース５８と、通信インタフェース５９とを備える。
【００４３】
プロセッサ５１は、ストレージ５５に記憶されたコンピュータプログラムに従う処理を実行する。ストレージ５５は、例えばフラッシュメモリで構成され、コンピュータプログラム及びデータを記憶する。ディスプレイ５６は、プロセッサ５１により制御されて、各種画面を表示する表示デバイスである。ディスプレイ５６の例には、液晶ディスプレイ及び有機ＥＬディスプレイが含まれる。
【００４４】
操作インタフェース５８は、ユーザからの操作信号をプロセッサ５１に入力する操作デバイスである。操作インタフェース５８の例には、ディスプレイ５６上のタッチパネルが含まれる。通信インタフェース５９は、サーバ装置３０と広域ネットワークＮＴを通じて通信可能に構成される。
【００４５】
続いて、サーバ装置３０のプロセッサ３１が実行するデータ取得関連処理の詳細を、図２Ａを用いて説明する。プロセッサ３１は、監視装置１０毎に、データ取得関連処理を繰返し実行する。
【００４６】
データ取得関連処理を開始すると、プロセッサ３１は、監視装置１０から、生体信号の計測データであって、未取得の新規計測データを取得する（Ｓ１１０）。更に、プロセッサ３１は、取得した新規計測データを、ストレージ３５内の装置管理データベース３５１に記録する（Ｓ１２０）。
【００４７】
図３Ａに示される装置管理データベース３５１は、監視装置１０の管理に用いられるデータベースである。装置管理データベース３５１は、監視装置１０毎の装置管理データ３５１Ａを備える。装置管理データ３５１Ａは、対応する監視装置１０の識別コードである装置ＩＤに関連付けて、コール先データ、アラート設定データ、関連ユーザデータ、閲覧ログデータ、及び計測データを含む。
【００４８】
Ｓ１２０において、プロセッサ３１は、新規計測データの取得元に対応する監視装置１０の装置管理データ３５１Ａに、取得した新規計測データを追加記録することにより、監視装置１０からの計測データを蓄積する。装置管理データ３５１Ａには、過去所定期間分（例えば、１年分）の計測データが格納され得る。
【００４９】
その後、プロセッサ３１は、装置管理データ３５１Ａに含まれるアラート設定データを参照し（Ｓ１３０）、アラート信号の出力が必要であるか否かを判断する（Ｓ１４０）。アラート設定データは、アラート信号の出力条件を示す。
【００５０】
Ｓ１４０において、プロセッサ３１は、Ｓ１１０で取得した新規計測データから特定される生体信号に、上記アラート信号の出力条件を満足する変化が生じているか否かを判断することにより、アラート信号の出力が必要であるか否かを判断する。アラート信号の出力条件の詳細に関しては、アラート設定に関する処理と共に後述する。
【００５１】
プロセッサ３１は、アラート信号の出力が必要であると判断すると（Ｓ１４０でＹｅｓ）、アラート信号を出力する（Ｓ１５０）。アラート設定データは、見守り人により指定されたアラート先の情報を含むことができ、プロセッサ３１は、上記指定されたアラート先にアラート信号を出力することができる。別例として、アラート先は、監視装置１０に関連付けられた見守り人のユーザ端末装置５０であってもよい。
【００５２】
関連ユーザデータは、監視装置１０に関連付けられたユーザ（すなわち見守り人）のリストを有する。プロセッサ３１は、関連ユーザデータを参照して、監視装置１０に関連付けられた見守り人のユーザ端末装置５０に対し、通信インタフェース３７を介して、アラート信号を出力することができる。
【００５３】
ユーザ端末装置５０は、アラート信号を受信すると、被見守り人の生体信号の異常を知らせるアラート音を出力するように構成され得る。Ｓ１５０での処理を終えると、プロセッサ３１は、データ取得関連処理を終了する。
【００５４】
一方、プロセッサ３１は、アラート信号の出力が不要であると判断すると（Ｓ１４０でＮｏ）、Ｓ１５０の処理を実行せずに、データ取得関連処理を終了する。上記データ取得関連処理を繰返し実行により、プロセッサ３１は、各監視装置１０から生体信号の計測データを逐次取得し、必要に応じてアラート信号を出力する。
【００５５】
この他、プロセッサ３１は、図２Ｂに示すコール信号関連処理を繰返し実行する。コール信号関連処理を開始すると、プロセッサ３１は、監視装置１０のいずれかから、呼出装置２０に対するボタン押下操作により発生するコール信号を受信するまで待機する（Ｓ２１０）。
【００５６】
コール信号を受信すると、プロセッサ３１は、コール信号の送信元に対応する監視装置１０の装置管理データ３５１Ａが有するコール先データを参照し、予め指定されたコール先に対する呼出処理を実行する（Ｓ２２０）。コール先データは、見守り人により指定されたコール先の情報を含む。コール先は、アラート先と同様に、監視装置１０に関連付けられた見守り人のユーザ端末装置５０であってもよい。
【００５７】
呼出処理において、プロセッサ３１は、上記指定されたコール先に、コール信号を転送して、コール先を呼び出すことができる。ユーザ端末装置５０は、コール信号を受信すると、呼出装置２０に対するボタン押下操作がなされたことを通知するビープ音を出力するように構成され得る。その後、プロセッサ３１は、コール信号関連処理を終了する。このようにプロセッサ３１は、監視装置１０からコール信号を受信する度に、対応するコール先を呼び出す。
【００５８】
この他、プロセッサ３１は、ユーザ端末装置５０からログイン要求を受信すると、要求元に対するユーザ認証を行う。プロセッサ３１は、ユーザ認証に成功すると、ログインユーザに対する処理として図４に示すサービス提供処理を実行する。
【００５９】
サービス提供処理を開始すると、プロセッサ３１は、ログインユーザに関連付けられた一つ以上の監視装置１０の計測データを、装置管理データベース３５１から読み出す（Ｓ３１０）。ログインユーザに関連付けられた監視装置１０は、ストレージ３５内のユーザ管理データベース３５３に登録された、ログインユーザのユーザ管理データ３５３Ａを参照することにより、把握される。
【００６０】
図３Ｂに示すように、ユーザ管理データベース３５３は、ユーザ毎のユーザ管理データ３５３Ａを有する。ユーザ管理データ３５３Ａは、対応するユーザの識別コードであるユーザＩＤに関連付けて、ユーザ登録データ、関連装置データ、グループ設定データを有する。ユーザ登録データは、ユーザのニックネーム等の情報を含む。更に、ユーザ登録データは、プッシュ通知を含む、対応するユーザのユーザ端末装置５０との間の通信に必要な情報を含む。
【００６１】
関連装置データは、ユーザに関連付けられた監視装置１０のリストを示す。ユーザに関連付けられた監視装置１０は、通常、ユーザが見守る被見守り人の居住空間に設置された監視装置１０である。一人のユーザに対して、被見守り人は複数存在し得る。これらの監視装置１０は、ユーザからの指示に従って、ユーザに関連付けられる。
【００６２】
プロセッサ３１は、ログインユーザの関連装置データを参照することにより、ユーザに関連付けられた監視装置１０を特定し、これらの監視装置１０からの計測データをストレージ３５から読み出すことができる。この際、各監視装置１０の閲覧ログデータ（詳細後述）も読み出すことができる。
【００６３】
Ｓ３１０での処理を終えると、プロセッサ３１は、読み出した計測データ及び閲覧ログデータに基づき、監視装置１０の一覧画面データを、ログインユーザのユーザ端末装置５０に送信する（Ｓ３２０）。
【００６４】
一覧画面データは、ログインユーザに関連付けられた各監視装置１０に対応するオブジェクトが配置された図５に例示する構成の一覧画面をユーザ端末装置５０に表示させるためのデータである。各監視装置１０のオブジェクトは、ユーザ端末装置５０の操作インタフェース５８を通じてユーザが選択可能な操作オブジェクトである。一覧画面は、オブジェクトの選択操作により、ユーザが監視装置１０の一つを選択可能な構成にされる。
【００６５】
図５に示されるように、各オブジェクトは、対応する監視装置１０の計測データに基づく、被見守り人の身体運動の大きさ、並びに、呼吸及び心拍の強さに関する簡易折れ線グラフを表示する。折れ線グラフの横軸は、時刻である。各オブジェクトには、上記閲覧ログデータに基づく、対応する監視装置１０の個別画面（図８参照）の最終閲覧時刻を表す文字情報が表示される。
【００６６】
このように一覧画面では、ユーザに関連付けられた監視装置１０が選択可能に一覧表示され、更に、各監視装置１０での計測データが簡易表示される。この他、一覧画面には、グループ設定のための操作オブジェクトであるグループ設定ボタン、及び、監視装置１０の追加登録のための操作オブジェクトである追加ボタンが含まれる。
【００６７】
プロセッサ３１は、一覧画面データの送信後、ユーザ端末装置５０からの要求信号を受信するか、終了条件が満足されるまで待機する（Ｓ３３０，Ｓ３４０，Ｓ３５０，Ｓ３６０）。要求信号を受信する度、受信した要求信号に対応する処理を実行する（Ｓ３３５，Ｓ３４５，Ｓ３５５）。終了条件が満足されると（Ｓ３６０でＹｅｓ）、ログインユーザに対するサービス提供処理を終了する。終了条件は、例えばログアウトにより満足される。
【００６８】
プロセッサ３１は、ユーザ端末装置５０から監視装置１０の追加要求信号を受信すると（Ｓ３３０でＹｅｓ）、Ｓ３３５に移行して、装置追加処理を実行する。追加要求信号は、一覧画面に含まれる追加ボタンがユーザ端末装置５０にて押下操作されたことを契機に、ユーザ端末装置５０からサーバ装置３０に送信される。
【００６９】
追加ボタンが押下操作されると、ユーザ端末装置５０は、監視装置１０の筐体に貼付された二次元コードの読取モードに移行する。この読取モードにて、監視装置１０の二次元コードが読み取られると、二次元コードが示す監視装置１０の識別コードを含む追加要求信号がユーザ端末装置５０からサーバ装置３０に送信される。
【００７０】
Ｓ３３５において、プロセッサ３１は、受信した追加要求信号に含まれる監視装置１０の識別コードに基づいて、ログインユーザのユーザ管理データ３５３Ａが有する関連装置データを編集して、監視装置１０を追加登録する。すなわち、プロセッサ３１は、追加登録により、ログインユーザに新たな監視装置１０を関連付ける。更に追加登録が完了したことを、ユーザ端末装置５０に通知する。このようにしてＳ３３５での装置追加処理を終了すると、プロセッサ３１は、Ｓ３１０に移行する。
【００７１】
一方、ユーザ端末装置５０からグループ設定要求信号を受信すると（Ｓ３４０でＹｅｓ）、プロセッサ３１は、グループ設定処理を実行する（Ｓ３４５）。グループ設定要求信号は、一覧画面に含まれるグループ設定ボタンがユーザ端末装置５０にて押下操作されたことを契機に、ユーザ端末装置５０からサーバ装置３０に送信される。
【００７２】
グループ設定ボタンが押下操作されると、ユーザ端末装置５０は、グループ設定モードに移行する。グループ設定モードにおいて、ユーザ端末装置５０は、ディスプレイ５６の表示画面を一覧画面からグループ設定画面に切り替える。
【００７３】
グループ設定画面は、ログインユーザに関連付けられた監視装置１０のうち、グループ化対象の監視装置１０の一群を、ユーザが操作インタフェース５８を通じて選択可能な画面である。グループ設定画面の例は、図６に示される。この画面によれば、ユーザにより選択された監視装置１０の一群が、一つのグループとして設定すべき監視装置１０の一群に対応する。
【００７４】
ユーザ端末装置５０は、このグループ設定画面を通じてグループ設定に関するユーザ操作を受け付け、ユーザ操作が確定ボタンの押下操作により終了すると、ユーザにより指定された監視装置１０の一群を一グループにまとめることを要求するグループ設定要求信号をサーバ装置３０に送信する。
【００７５】
Ｓ３４５において、プロセッサ３１は、受信したグループ設定要求信号に従って、ユーザに関連付けられた監視装置１０をグループ化し、ログインユーザのグループ設定データに、監視装置１０のグループを定義する情報を書き込む。更に、プロセッサ３１は、設定完了をユーザ端末装置５０に通知する。このようにしてＳ３４５でのグループ設定処理を終了すると、プロセッサ３１は、Ｓ３１０に移行する。
【００７６】
この他、ユーザ端末装置５０から個別画面要求信号を受信すると（Ｓ３５０でＹｅｓ）、プロセッサ３１は、Ｓ３５５に移行し、図７に示す個別画面送信関連処理を実行する。個別画面要求信号は、一覧画面に表示される監視装置１０のオブジェクトの選択操作により、監視装置１０の一つがユーザ端末装置５０にて選択されたことを契機に、ユーザ端末装置５０からサーバ装置３０に送信される。個別画面要求信号は、選択された監視装置１０の識別コードが含まれる。
【００７７】
個別画面送信関連処理を開始すると、プロセッサ３１は、個別画面要求信号に含まれる監視装置１０の識別コードに基づき、一覧画面で選択された監視装置１０に関する個別画面データを、対応する監視装置１０の計測データ及び閲覧ログデータに基づき生成し、生成した個別画面データをログインユーザのユーザ端末装置５０に送信する（Ｓ４１０）。
【００７８】
個別画面データは、一覧画面で選択された監視装置１０に関する図８に示す個別画面を、ユーザ端末装置５０に表示させるためのデータである。図８に示すように、個別画面は、対応する監視装置１０にて計測された被見守り人の身体運動の大きさ、並びに、呼吸及び心拍の強さに関する詳細な折れ線グラフを表示する。個別画面は、折れ線グラフの表示を、日単位、週単位、月単位で切り替え操作可能に構成される。折れ線グラフの縦軸は、身体運動の大きさ、並びに、呼吸及び心拍の強さを表す。
【００７９】
個別画面は更に、折れ線グラフの上部に、現在の身体運動に関する第一のパラメータ値、現在の呼吸の強さに関する第二のパラメータ値、現在の心拍の強さに関する第三のパラメータ値を表示する。例えば、第一のパラメータ値、第二のパラメータ値、及び、第三のパラメータ値は、それぞれ、身体運動の大きさ、呼吸の強さ、及び、心拍の強さを、１０段階で表す数値である。
【００８０】
個別画面は更に、対応する監視装置１０に関連付けられた複数のユーザ全体における、当該監視装置１０の個別画面の前回以前の最終閲覧時刻を表す文字情報を表示する。すなわち、監視装置１０に対応する被見守り人を見守るユーザの全体における今回を除く個別画面の最終閲覧時刻を表示する。
【００８１】
個別画面は更に、閲覧履歴表示のための操作オブジェクトである閲覧履歴ボタン、アラート設定のための操作オブジェクトであるアラート設定ボタン、監視装置１０のスピーカ１３からの音声出力により被見守り人に対する呼掛け行為を行うための操作オブジェクトである呼掛けボタン、及び、一覧画面に戻るための操作オブジェクトである戻るボタンを備える。
【００８２】
Ｓ４１０において上記個別画面データを送信すると、プロセッサ３１は、対応する監視装置１０の装置管理データ３５１Ａが有する閲覧ログデータを更新する（Ｓ４２０）。サーバ装置３０のプロセッサ３１は、ユーザ端末装置５０に対して個別画面データを送信する度に、見守り人が個別画面を閲覧したとみなして、閲覧ログデータに、閲覧時刻及びログインユーザのユーザＩＤを含むレコードを追加する。Ｓ４２０において、プロセッサ３１は、このレコード追加により、閲覧ログデータを更新する。レコードに含まれる閲覧時刻は、個別画面の表示時刻とみなすことができる個別画面データの送信時刻である。
【００８３】
閲覧ログデータの更新後、プロセッサ３１は、ログインユーザのユーザ端末装置５０から要求信号を受信するか、終了条件が満足されるまで待機する（Ｓ４３０，Ｓ４４０，Ｓ４５０，Ｓ４６０，Ｓ４７０）。
【００８４】
要求信号を受信する度、プロセッサ３１は、受信した要求信号に対応する処理を実行する（Ｓ４３５，Ｓ４４５，Ｓ４５５，Ｓ４６５）。一方、終了条件が満足されると（Ｓ４７０でＹｅｓ）、個別画面送信関連処理を終了する。終了条件は、例えば、個別画面における戻るボタンの押下操作により満足される。個別画面送信関連処理を終了すると、プロセッサ３１は、Ｓ３１０（図４参照）に移行する。
【００８５】
プロセッサ３１は、ユーザ端末装置５０から閲覧履歴要求信号を受信すると（Ｓ４３０でＹｅｓ）、Ｓ４３５に移行して、履歴表示関連処理を実行する。閲覧履歴要求信号は、個別画面に含まれる閲覧履歴ボタンがユーザ端末装置５０にて押下操作されたことを契機に、ユーザ端末装置５０からサーバ装置３０に送信される。
【００８６】
履歴表示関連処理において、プロセッサ３１は、個別画面に対応する監視装置１０の閲覧ログデータに基づき、閲覧履歴画面データを生成し、生成した閲覧履歴画面データを、要求元のユーザ端末装置５０に送信する。
【００８７】
閲覧履歴画面データは、対応する監視装置１０の個別画面に関する閲覧履歴情報を含む図９Ａに示す閲覧履歴画面を、ユーザ端末装置５０に表示させるためのデータである。図９Ａに示すように、閲覧履歴画面は、対応する監視装置１０の個別画面を閲覧したユーザのリストを、閲覧時刻と共に表示する。
【００８８】
図９Ａによれば、閲覧履歴画面には、監視装置１０に関連付けられたユーザ全体の閲覧履歴が、閲覧時刻順に列挙される。閲覧履歴画面には、今回の個別画面の閲覧を除く前回以前の個別画面の閲覧に関する履歴が表示され得る。閲覧履歴画面には、今回の閲覧、すなわち、この画面に切り替わる直前の個別画面の閲覧（開始）時刻を含む閲覧履歴が表示されてもよい。
【００８９】
付言すると、プロセッサ３１は、個別画面に対応する監視装置１０にグループが設定されているか否かを、ログインユーザのグループ設定データを参照して判定することができる。そして、グループが設定されている場合には、個別画面に対応する監視装置１０だけではなく、同一グループに属するすべての監視装置１０の閲覧ログデータに基づき、閲覧履歴画面データを生成することができる。
【００９０】
この場合、閲覧履歴画面には、同一グループの複数の監視装置１０のそれぞれの個別画面に対する閲覧履歴が、混在した形態で、閲覧時刻順に表示される。閲覧履歴画面は、各閲覧時刻が、どの監視装置１０に対応するものであるのかをユーザが理解できるように付属情報を表示してもよい。例えば、閲覧履歴画面は、各閲覧時刻を、閲覧したユーザ及び対応する監視装置１０の識別情報と共に表示してもよい。
【００９１】
プロセッサ３１は、閲覧履歴画面に含まれる戻るボタンが押下操作されることにより、ユーザ端末装置５０から終了指示が入力されると、Ｓ４３５における履歴表示関連処理を終了して、Ｓ４１０に移行する。
【００９２】
一方、ユーザ端末装置５０からアラート設定要求信号を受信すると（Ｓ４４０でＹｅｓ）、プロセッサ３１は、Ｓ４４５に移行し、アラート設定関連処理を実行する。アラート設定要求信号は、個別画面に含まれるアラート設定ボタンがユーザ端末装置５０にて押下操作されたことを契機に、ユーザ端末装置５０からサーバ装置３０に送信される。
【００９３】
アラート設定関連処理において、プロセッサ３１は、個別画面に対応する監視装置１０のアラート設定データに基づき、現在のアラート設定を反映したアラート設定画面データを生成し、生成したアラート設定画面データを要求元のユーザ端末装置５０に送信する。
【００９４】
アラート設定画面データは、対応する監視装置１０により計測された生体信号に基づくアラート信号の出力条件を設定するためのアラート設定画面を、ユーザ端末装置５０に表示させるためのデータである。アラート設定画面の構成は、図９Ｂに例示される。
【００９５】
例示されるアラート設定画面は、身体運動、呼吸、及び心拍の有無（換言すれば存在及び不存在）を要素として、アラート信号の出力条件を設定可能に構成される。
図９Ｂの例によれば、アラート信号の出力条件は、身体運動に関する第一のパラメータ値が身体運動の不存在を示している状態で、呼吸に関する第二のパラメータ値及び心拍に関する第三のパラメータ値が、呼吸及び心拍の存在を示す値から、不存在を示す値に変化したことを条件に、アラート信号を出力する条件として設定される。
【００９６】
上記の第一、第二、及び第三のパラメータ値は、それぞれ、身体運動の大きさ、呼吸の強さ、及び、心拍の強さが計測できないレベルであることを示す値「１」から、身体運動の大きさ、呼吸の強さ、及び心拍の強さが最大レベルであることを示す値「１０」までの範囲の整数値を採り得る。
【００９７】
ここでいう「不存在」は、対応するパラメータ値がレベル１であることを意味すると理解されてもよい。「存在」は、対応するパラメータ値がレベル２以上であることを意味すると理解されてもよい。
【００９８】
あるいは、「不存在」及び「存在」は、閾値を境界として定められるものとして広義に解釈されてもよい。すなわち、「不存在」は、対応するパラメータ値が閾値以下であることを意味すると理解されてもよいし、「存在」は、対応するパラメータ値が閾値より大きいことを意味すると理解されてもよい。
【００９９】
閾値は、「２」以上の値として定められてもよい。この場合、身体運動、呼吸、及び心拍の「存在」は、それぞれ、身体運動が閾値より大きいこと、呼吸が閾値より強いこと、心拍が閾値より強いことを意味し、身体運動、呼吸、及び心拍の「不存在」は、それぞれ、身体運動の大きさ、呼吸の強さ、及び心拍の強さが閾値以下であることを意味する。どのレベルを基準に、「存在」「不存在」を定義するかは、設計者の自由である。定義に際しては、誤差も考慮され得る。
【０１００】
図９Ｂに示される例示的なアラート設定画面は更に、アラートの要否を切り替え操作可能に構成される。このアラート設定画面は、更に、確定信号をサーバ装置３０に送信するための決定ボタン、及び、キャンセル信号をサーバ装置３０に送信するための戻るボタンを備える。プロセッサ３１は、アラート設定画面データの送信後、アラート設定に関する確定信号又はキャンセル信号を受信すると、受信信号に対応する処理を実行した後、アラート設定関連処理を終了する。
【０１０１】
プロセッサ３１は、確定信号を受信すると、確定信号に示されるアラート信号の出力条件に従って、対応する監視装置１０のアラート設定データにより定義されるアラート信号の出力条件を更新した後、アラート設定関連処理を終了する。プロセッサ３１は、キャンセル信号を受信すると、アラート設定データにより定義されるアラート信号の出力条件を更新せずに、アラート設定関連処理を終了する。アラート設定関連処理の終了後、プロセッサ３１は、Ｓ４１０に移行する。
【０１０２】
この他、プロセッサ３１は、ユーザ端末装置５０からデータ要求信号を受信すると（Ｓ４５０でＹｅｓ）、Ｓ４５５に移行して、データ提供処理を実行する。データ要求信号は、個別画面において折れ線グラフの表示期間を切り替える操作がなされたときにユーザ端末装置５０からサーバ装置３０に送信される。データ要求信号は、個別画面において現在のパラメータ値を更新するために、定期的に、ユーザ端末装置５０からサーバ装置３０に送信されてもよい。
【０１０３】
データ提供処理において、プロセッサ３１は、受信した要求信号に対応するデータを、要求元のユーザ端末装置５０に送信する。すなわち、個別画面における折れ線グラフの更新又はパラメータ値の更新に必要な計測データ、又は、画面データを、ユーザ端末装置５０に送信する。その後、プロセッサ３１は、データ提供処理を終了し、Ｓ４６０に移行する。
【０１０４】
この他、プロセッサ３１は、ユーザ端末装置５０から呼掛け要求信号を受信すると（Ｓ４６０でＹｅｓ）、Ｓ４６５に移行して、呼掛け関連処理を実行する。呼掛け要求信号は、個別画面に含まれる呼掛けボタンがユーザ端末装置５０にて押下操作されたことを契機に、ユーザ端末装置５０からサーバ装置３０に送信される。
【０１０５】
呼掛け関連処理において、プロセッサ３１は、ユーザ端末装置５０から送信されてくる音声信号を、対応する音声が監視装置１０のスピーカ１３から出力されるように転送する。この音声信号は、ユーザ端末装置５０のマイクロフォン５７からの音声信号である。監視装置１０に転送された音声信号は、上述したように、監視装置１０で処理されて、対応する音声がスピーカ１３から出力される。
【０１０６】
ユーザ端末装置５０は、呼掛けボタンが押下操作された後、呼掛けボタンが再度押下操作されるまでの間、マイクロフォン５７から入力されるユーザの発話音声をディジタル信号に変換した音声信号を、広域ネットワークＮＴを通じてサーバ装置３０に送信するように動作する。
【０１０７】
図示しないが、監視装置１０には、マイクロフォンが設けられ得る。この場合、被見守り人は、見守り人からの呼掛けに対して、音声にて応答することができる。この応答音声に関する音声信号は、監視装置１０からサーバ装置３０を通じてユーザ端末装置５０に送信され得る。
【０１０８】
監視装置１０にマイクロフォンがない場合、見守り人は、生体信号の変化をみることにより、被見守り人が呼掛けに反応したかを確認することができる。このために、ユーザ端末装置５０は、最新の生体信号に基づく情報（上述のパラメータ値など）を、個別画面を通じてリアルタイム表示するように動作し得る。プロセッサ３１は、呼掛けボタンの再押下によってユーザ端末装置５０から終了指示が入力されると、呼掛け関連処理を終了し、Ｓ４７０に移行する。
【０１０９】
続いて、ユーザ端末装置５０のプロセッサ５１が実行する処理を図１０及び図１１を用いて説明する。ユーザ端末装置５０で実行される処理の一部については、サーバ装置３０で実行される処理の説明と併せて上述しているので、必要に応じて参照されたい。
【０１１０】
ユーザ端末装置５０のプロセッサ５１は、ユーザ端末装置５０にインストールされた見守りシステム１用のアプリケーションプログラムが起動されると、図１０に示す処理を開始する。
【０１１１】
図１０に示す処理を開始すると、プロセッサ５１は、広域ネットワークＮＴを通じてサーバ装置３０にアクセスし、ログインに必要な処理を実行する（Ｓ５１０）。ログインに成功すると、プロセッサ５１は、サーバ装置３０からＳ３２０の処理にて送信される上述の一覧画面データを受信し、受信データに基づいて、ディスプレイ５６に、図５に例示される一覧画面を表示させる（Ｓ５２０）。
【０１１２】
その後、プロセッサ５１は、一覧画面に対するユーザ操作がなされるか、終了条件が満足されるまで待機する（Ｓ５３０，Ｓ５４０，Ｓ５５０，Ｓ５６０）。プロセッサ５１は、操作インタフェース５８からの信号入力により、ユーザ操作が発生したことを検知する度、なされた操作に対応する処理を実行する（Ｓ５３５，Ｓ５４５，Ｓ５５５）。終了条件が満足されると（Ｓ５６０でＹｅｓ）、図１０に示す処理を終了する。終了条件は、例えば、上記アプリケーションプログラムに対する終了操作により満足される。
【０１１３】
プロセッサ５１は、一覧画面における追加ボタンの押下操作を検知すると（Ｓ５３０でＹｅｓ）、Ｓ５３５に移行して、追加操作関連処理を実行する。追加操作関連処理では、上述した読取モードに移行し、ユーザ操作に従って読み取った二次元コードが示す監視装置１０の識別コードを含む追加要求信号をサーバ装置３０に送信する。追加登録が完了したことを示す通知をサーバ装置３０から受信すると、プロセッサ５１は、Ｓ５２０に移行する。Ｓ５２０において、プロセッサ５１は、追加登録後の一覧画面データを、サーバ装置３０から取得することができる。
【０１１４】
プロセッサ５１は、一覧画面におけるグループ設定ボタンの押下操作を検知すると（Ｓ５４０でＹｅｓ）、Ｓ５４５に移行して、設定操作関連処理を実行する。設定操作関連処理では、上述したグループ設定モードに移行し、ディスプレイ５６にグループ設定画面を表示して、グループ設定に関する操作インタフェース５８を通じたユーザ操作を受け付ける。受け付けたユーザ操作に従うグループ設定要求信号を、サーバ装置３０に送信する。
【０１１５】
設定完了の通知をサーバ装置３０から受信すると、プロセッサ５１は、設定操作関連処理（Ｓ５４５）を終了し、Ｓ５２０に移行する。Ｓ５２０において、プロセッサ５１は、グループ設定が反映された一覧画面データを、サーバ装置３０から取得することができる。この場合、一覧画面データは、一覧画面に含まれる同一グループに属する複数の監視装置１０のオブジェクトにおいてグループ共通の最終閲覧時刻が表示されるように構成され得る。グループ共通の最終閲覧時刻は、グループに属する監視装置１０の全体に関して最後に閲覧された個別画面の閲覧時刻であり得る。
【０１１６】
この他、プロセッサ５１は、一覧画面に含まれる監視装置１０のオブジェクトの一つに対する選択操作を検知すると（Ｓ５５０でＹｅｓ）、Ｓ５５５に移行して、個別画面関連処理を実行する。個別画面関連処理を終了すると、Ｓ５２０に移行する。
【０１１７】
個別画面関連処理においてプロセッサ５１は、図１１に示すように、サーバ装置３０に対して個別画面要求信号を送信し、サーバ装置３０から、選択された監視装置１０に対応する個別画面データを取得し、ディスプレイ５６に個別画面を表示させる（Ｓ６１０）。
【０１１８】
その後、プロセッサ５１は、個別画面に対するユーザ操作がなされるか、終了条件が満足されるまで待機する（Ｓ６３０，Ｓ６４０，Ｓ６５０，Ｓ６６０，Ｓ６７０）。ユーザ操作が発生したことを検知する度、なされた操作に対応する処理を実行する（Ｓ６３５，Ｓ６４５，Ｓ６５５，Ｓ６６５）。終了条件が満足されると（Ｓ６７０でＹｅｓ）、図１１に示す処理を終了する。終了条件は、例えば、個別画面に対する戻るボタンの押下操作により満足される。
【０１１９】
プロセッサ５１は、個別画面における閲覧履歴ボタンの押下操作を検知すると（Ｓ６３０でＹｅｓ）、Ｓ６３５に移行して、履歴表示関連処理を実行する。履歴表示関連処理において、プロセッサ５１は、閲覧履歴要求信号をサーバ装置３０に送信し、サーバ装置３０から受信した閲覧履歴画面データに基づいて、閲覧履歴画面（図９Ａ参照）を表示する。閲覧履歴画面における戻るボタンの押下操作がなされると、プロセッサ５１は、履歴表示関連処理を終了して、Ｓ６１０に移行する。
【０１２０】
プロセッサ５１は、個別画面におけるアラート設定ボタンの押下操作を検知すると（Ｓ６４０でＹｅｓ）、Ｓ６４５に移行して、アラート設定操作関連処理を実行する。アラート設定操作関連処理において、プロセッサ５１は、アラート設定要求信号をサーバ装置３０に送信し、サーバ装置３０から受信したアラート設定画面データに基づいて、ディスプレイ５６にアラート設定画面（図９Ｂ参照）を表示させる。
【０１２１】
プロセッサ５１は更に、操作インタフェース５８を通じてアラート設定画面に対するユーザ操作を受け付け、ユーザ操作が完了すると、上述した確定信号又はキャンセル信号をサーバ装置３０に送信する。その後、プロセッサ５１は、アラート設定操作関連処理を終了し、Ｓ６１０に移行する。
【０１２２】
この他、プロセッサ５１は、個別画面における折れ線グラフ周辺のタブ及び矢印ボタンを通じたデータ選択操作を検知すると（Ｓ６５０でＹｅｓ）、Ｓ６５５に移行し、データ選択関連処理を実行する。データ選択関連処理において、プロセッサ５１は、操作に対応するデータ要求信号をサーバ装置３０に送信し、サーバ装置３０からの受信データに基づいて、個別画面における情報を更新する。例えば、個別画面における折れ線グラフを更新する。その後、データ選択関連処理を終了して、Ｓ６６０に移行する。
【０１２３】
この他、プロセッサ５１は、個別画面における呼掛けボタンの押下操作を検知すると（Ｓ６６０でＹｅｓ）、Ｓ６６５に移行して、呼掛け操作関連処理を実行する。呼掛け操作関連処理において、プロセッサ５１は、マイクロフォン５７からの音声信号を、サーバ装置３０を通じて、対応する監視装置１０に送信する。再度呼掛けボタンが押下操作されると、呼掛け操作関連処理を終了し、Ｓ６７０に移行する。プロセッサ５１は、このようにして終了条件が満足されるまで、個別画面に対するユーザ操作がなされる度に、操作に対応する処理を実行する。
【０１２４】
以上に説明した本実施形態によれば、サーバ装置３０が、一以上の居住空間において互いに異なる場所に設置された複数の監視装置１０であって、生体信号を計測するセンサ１１を備える監視装置１０のそれぞれから、生体信号の計測データを取得する（Ｓ１１０）。サーバ装置３０は、ユーザ端末装置５０が備える操作インタフェース５８を通じて複数の監視装置１０の一つを選択可能な第一の画面としての一覧画面（図５参照）を、ユーザ端末装置５０のディスプレイ５６に表示させる（Ｓ３２０）。
【０１２５】
サーバ装置３０は、複数の監視装置１０の一つが選択されたことを条件に、選択された監視装置１０からの計測データに基づく生体信号の計測結果を表す第二の画面としての個別画面を、ディスプレイ５６に表示させる（Ｓ４１０）。更にサーバ装置３０は、閲覧時刻として、個別画面の表示時刻を、選択の主体であるログインユーザの識別コードと共に、記憶デバイスとしてのストレージ３５内の閲覧ログデータに記録する（Ｓ４２０）。
【０１２６】
サーバ装置３０は、個別画面における閲覧履歴ボタンが押下操作されたことを契機に、閲覧ログデータに基づき、個別画面の表示履歴を示す第三の画面としての閲覧履歴画面を、ディスプレイ５６に表示させる（Ｓ４３５）。
【０１２７】
この見守りシステム１によれば、複数の見守り人によって一人の被見守り人に対する見守りが行われるときに、見守り人による生体信号の閲覧履歴を、ユーザ端末装置５０を通じて、すべての見守り人が確認することができる。従って、この見守りシステム１によれば、遠隔での親の見守りであって、複数の子による親の見守り、及び、夫婦による互いの親の遠隔での見守り、並びに、それらの見守りが混在した見守りなど、複数の見守り人による一人以上の被見守り人に対する見守りを互いに連携しながら、効率よく実現できる。
【０１２８】
例えば、上記見守りシステム１によれば、閲覧履歴の確認により複数の見守り人による見守り状況を確認することができるので、見守り人の相互依存により、だれも見守りをしていないなどの見守りが不十分な事象の発生を抑えることができる。また、閲覧頻度が不十分な見守り人に閲覧による見守りを促すことができる。更には、見守り不足な時間帯を把握して、見守り行為の改善を図ることができる。このように、本開示の技術によれば、１対複数又は複数対複数の見守りに好適な見守りシステム１を提供できる。
【０１２９】
この他、上記実施形態では、閲覧履歴画面を、選択された監視装置１０毎に表示するので、複数の被見守り人に対する見守り状況を、閲覧履歴画面を通じて容易に把握することができる。特に、本実施形態では、グループ化された監視装置１０に関し、グループ内の監視装置１０全体の閲覧履歴をまとめた閲覧履歴画面を表示するので、一人の被見守り人に対して複数の監視装置１０が用意される状況において、見守り状況が把握しやすい。すなわち、複数の監視装置１０を被見守り人毎の監視装置グループに、グループ化することにより、複数の被見守り人の見守り状況を容易に把握可能に、閲覧履歴画面を表示することができる。
【０１３０】
更に上記実施形態では、一覧画面における各監視装置１０のオブジェクトに、対応する監視装置１０の個別画面の最終閲覧時刻が表示される。この最終閲覧時刻は、閲覧ログデータに基づく、監視装置１０に関連付けられたユーザ（見守り人）全体の閲覧行為に関する最終閲覧時刻である。従って、各見守り人は、一覧画面を通じて、他の見守り人の見守り状況を把握することができ、互いに連携しながら、被見守り人を効率よく且つ適切に見守ることができる。
【０１３１】
更に見守りシステム１は、監視装置１０により計測された生体信号の変化に基づき、被見守り人に関するアラート信号、具体的には被見守り人の生命に関するアラート信号を出力して、見守り人に、被見守り人に対する電話での、あるいは被見守り人の元へ駆けつけての状況確認や、救急車の手配を促すことができる。
【０１３２】
特に、上記実施形態の見守りシステム１では、身体運動の大きさ、呼吸の強さ、及び、心拍の強さを要素として、アラート信号の出力条件を、ユーザが設定することができる。具体的には、身体運動の大きさを表す第一のパラメータ値が、身体運動の不存在を示す値に変化する第一の事象、呼吸の強さを表す第二のパラメータ値が、呼吸の不存在又は低下を示す値に変化する第二の事象、心拍の強さを表す第三のパラメータ値が、心拍の不存在又は低下を示す値に変化する第三の事象の少なくとも一つの事象の発生を条件に、アラート信号を出力するように、アラート設定を行うことができる。
【０１３３】
従って、本実施形態によれば、ユーザは、アラートの感度や誤報率を考慮して、被見守り人に応じた適切なアラート設定を行うことができる。なお、上記実施形態では、複数の見守り人がいずれもアラート設定操作を行うことができるが、一部の見守り人のみがアラート設定操作を行うことができるように、見守りシステム１は構成されてもよい。
【０１３４】
身体運動、呼吸、及び心拍の不存在は、計測可能範囲より外に被見守り人が移動した場合にも生じ得ること、身体運動の不存在は、被見守り人の生命に異常がなくとも、被見守り人の就寝中などにも生じ得ること、を考慮すれば、本実施形態のよう、身体運動に関する第一のパラメータ値が、身体運動の不存在を示している状態で、呼吸に関する第二のパラメータ値及び／又は心拍に関する第三のパラメータ値が、呼吸及び／又は心拍の低下又は不存在を示す値に変化したことを条件に、アラート信号を出力可能であることは大変有意義である。
【０１３５】
すなわち、計測可能範囲より外に被見守り人が移動する際には、身体運動が検知されるはずである。この身体運動の検知がない状態で、呼吸及び／又は心拍の低下又は不存在が発生する場合には、被見守り人の生命に異常が生じている可能性が非常に高い。このケースにおいて、アラート信号を出力できることは、大変有意義である。
【０１３６】
本実施形態によれば、呼出装置２０を通じて見守り人に向けてエマージェンシーコールを送信できること、見守り人の音声を監視装置１０のスピーカ１３から出力して呼掛けを行うことができることも有意義である。
【０１３７】
本開示が、上述した例示的実施形態に限定されるものではなく、種々の態様を採ることができることは言うまでもない。例えば、見守りシステム１は、監視装置１０毎に、対応する個別画面に対する閲覧が所定期間欠落しているユーザに対して、対応する個別画面の閲覧を促すためのメッセージを、ユーザ端末装置５０に送信するように構成されてもよい。サーバ装置３０の機能の一部又は全ては、監視装置１０及び／又はユーザ端末装置５０に搭載されてもよい。上述した各種画面の構成及び通信形態は単なる例示であり、他の画面構成及び通信形態を採り得ることは言うまでもない。特許請求の範囲に記載の文言から特定される技術思想に含まれるあらゆる態様が本開示の実施形態である。
【符号の説明】
【０１３８】
１…見守りシステム、１０…監視装置、１１…センサ、１３…スピーカ、１５…コントローラ、１７…通信インタフェース、２０…呼出装置、３０…サーバ装置、３１…プロセッサ、３５…ストレージ、３７…通信インタフェース、５０…ユーザ端末装置、５１…プロセッサ、５５…ストレージ、５６…ディスプレイ、５７…マイクロフォン、５８…操作インタフェース、５９…通信インタフェース、３５１…装置管理データベース、３５１Ａ…装置管理データ、３５３…ユーザ管理データベース、３５３Ａ…ユーザ管理データ、ＮＴ…広域ネットワーク。
【要約】
【課題】１対複数又は複数対複数の見守りに好適なシステムを提供する。
【解決手段】生体信号を計測する複数のセンサ１１のそれぞれから、生体信号の計測データが取得される。情報機器５０の操作デバイス５８を通じて複数のセンサの一つを選択可能な第一の画面が、情報機器の表示デバイス５６に表示される。複数のセンサの一つが選択されたことを条件に、選択されたセンサからの計測データに基づく生体信号の計測結果を表す第二の画面が、表示デバイスに表示される。第二の画面の表示時刻が、選択の主体であるユーザの識別情報と共に、ログデータとして記録される。ログデータに基づき、第二の画面の表示履歴を示す第三の画面が、表示デバイスに表示される。
【選択図】図１【図１】
0006679019.tif 000002
【図２】
0006679019.tif 000003
【図３】
0006679019.tif 000004
【図４】
0006679019.tif 000005
【図５】
0006679019.tif 000006
【図６】
0006679019.tif 000007
【図７】
0006679019.tif 000008
【図８】
0006679019.tif 000009
【図９】
0006679019.tif 000010
【図１０】
0006679019.tif 000011
【図１１】
0006679019.tif 000012